(57)【要約】      （修正有）【課題】ボンネットの上面カバー部に、肥料袋を載置する袋載面を略水平状に没入形成することにより、肥料袋を廉価な構成によって安定よく支持すると共に、肥料供給作業を能率よく行うことができる肥料供給構造を備える乗用田植機を提供する。【解決手段】ボンネット３の前側下部に、流動性肥料を肥料袋Ｆから肥料タンク９に補給する肥料供給構造８を備えた乗用田植機１であって、前側に向けて下り傾斜面をなすボンネット３の上面カバー部１１に、肥料袋Ｆを載置する袋載面２７を略水平状に没入形成した。【選択図】図３
2013236551.tif 000002
【特許請求の範囲】
【請求項１】
ボンネット（３）の前側下部に、流動性肥料を肥料袋（Ｆ）から肥料タンク（９）に補給する肥料供給構造（８）を備えた乗用田植機（１）において、前側に向けて下り傾斜面をなすボンネット（３）の上面カバー部（１１）に、肥料袋（Ｆ）を載置する袋載面（２７）を略水平状に没入形成したことを特徴とする施肥装置を備えた乗用田植機。
【請求項２】
上面カバー部（１１）を没入して袋載面（２７）を形成する際に、該袋載面（２７）の後端に後縦面（２８）を一体的に形成し、該後縦面（２８）に前照灯（３０）を配置する請求項１記載の施肥装置を備えた乗用田植機。
【発明の詳細な説明】
【技術分野】
【０００１】
本発明は、施肥装置を備えた乗用田植機に関する。
【背景技術】
【０００２】
従来、施肥装置を備え苗の植付けと同時に土中施肥をする乗用田植機は、前側に向けて下り傾斜面を有するボンネットの前側下部に、流動性肥料（ペースト状肥料）を肥料タンクに補給する肥料供給構造を設けており、肥料補給時には、流動性肥料を内包した肥料袋をボンネット上に載せた状態で、肥料袋支持装置によって位置決め支持し、肥料袋内の肥料を肥料供給構造を介して肥料タンクに補給するように構成されている（例えば特許文献１参照）。
【先行技術文献】
【特許文献】
【０００３】
【特許文献１】実開平３−１２２６１９号公報
【発明の概要】
【発明が解決しようとする課題】
【０００４】
上記特許文献１に示される乗用田植機は、肥料補給時に、重量のある肥料袋を手で保持することなくボンネットに載せた姿勢で、肥料袋の排出口から肥料を肥料供給構造の供給口を介して肥料タンクに補給することができる。然しながら、ボンネット上で肥料袋を支持する肥料袋支持装置は、ボンネットの上方に大きく突出するため、操縦部からの前方視界を妨げる欠点がある。また肥料袋支持装置はボンネットとは別途に製作されること、及びボンネットへの取付けを要するため構造が複雑でコスト高になる欠点がある。またボンネット上に載置された肥料袋は、肥料袋支持装置によって位置ずれを防止する操作を必要とするため肥料の補給作業が非能率になる等の課題がある。
【課題を解決するための手段】
【０００５】
上記課題を解決するための本発明の施肥装置を備えた乗用田植機は、第１に、ボンネット３の前側下部に、流動性肥料を肥料袋Ｆから肥料タンク９に補給する肥料供給構造８を備えた乗用田植機１において、前側に向けて下り傾斜面をなすボンネット３の上面カバー部１１に、肥料袋Ｆを載置する袋載面２７を略水平状に没入形成したことを特徴としている。
第２に、上面カバー部１１を没入して袋載面２７を形成する際に、該袋載面２７の後端に後縦面２８を一体的に形成し、該後縦面２８に前照灯３０を配置することを特徴としている。
【発明の効果】
【０００６】
請求項１の発明によれば、ボンネットの前側下部に肥料供給構造を備える乗用田植機において、ボンネットの上面カバー部に、肥料袋を載置する袋載面を略水平状に没入形成したことにより、袋載面は載置される肥料袋を特別な肥料袋支持手段を必要とすることなく、簡単且つ廉価な構成によって安定よく支持することができ、肥料供給作業を能率よく行うことができる。
請求項２の発明によれば、上面カバー部を没入して袋載面を形成する際に、該袋載面の後端に後縦面を一体的に形成し、該後縦面に前照灯を配置することにより、前照灯を上面カバー部から上方に突出させることなく高位置に配置することができ前下方を広く照らすことができる。
【図面の簡単な説明】
【０００７】
【図１】本発明に係る施肥装置を備えた乗用田植機の斜視図である。
【図２】肥料袋載置部の構成を示す斜視図である。
【図３】図２の要部の構成を示す側断面図である。
【発明を実施するための形態】
【０００８】
本発明の一実施形態を図面に基づいて説明する。図１において符号１は乗用田植機であり、前輪１ａと後輪１ｂを左右に有する走行機体２の前側にエンジンＥ（図３）を搭載し、該エンジンＥを本発明構造によるボンネット３で覆い、後方にハンドル４ａ及び座席４ｂ並びに操縦ステップ４ｃ等からなる操縦部４を配置し、機体後部に構成される３点リンク方式の昇降機構５に、苗載台６ａ及び植付爪６ｂ等を有する植付装置６を装着している。また走行機体２の前部機体フレーム２ａの両外側寄りには、苗箱やスクレーパ等の苗トレーに収容されたマット苗（予備苗）を苗載台６ａに補給するための予備苗載台７を立設、ボンネット３の左右に前記操縦ステップ４ｃに通ずる前部ステップ４ｄを形成している。またボンネット３の後部上方には、各種の操作レバーやスイッチ他計器類を備える操作パネル部３ｐが設置されている。
【０００９】
この乗用田植機１は、ボンネット３の前部に構成される肥料供給構造８を備える肥料タンク９を、前部機体フレーム２ａの両外側に設置しており、肥料供給構造８から肥料タンク９に供給収容される流動性肥料の一種であるペースト肥料を、肥料ポンプを介して送り出し施肥ノズル１０から圃場に土中施肥するようにしている。そして、図示例の乗用田植機１は、６条分の予備苗を左右並列状に載置する苗載台６ａを前高後低状に傾斜させて設けており、該苗載台６ａの下端部から植付爪６ｂによって１株毎の苗を掻取って圃場に植付けながら、同時に肥料タンク９内のペースト肥料を植付けられる苗条に沿って施肥ノズル１０から土中施肥する。
【００１０】
次に、本発明に係るボンネット３及び肥料供給構造８について図１〜図３を参照し詳述する。ボンネット３は、エンジンＥの上部と側部を覆うようにコ字状断面をなすボンネット本体部３ａと、該ボンネット本体部３ａの下部から両側方に向けて一連に張り出され、前記左右の肥料タンク９の上方を覆うサイドカバー部３ｂとからなり、前部機体フレーム２ａに所定箇所を取付けて装着される。ボンネット本体部３ａは、側面視で滑らかな上向きアール面で後高前低状に傾斜する上面カバー部１１と、該上面カバー部１１の両側から一連に垂設される左右の側面カバー部１２等からなる。
【００１１】
ボンネット本体部３ａの上面カバー部１１には、ボンネット３内の前方下部で、左右の肥料タンク９の間に構成される肥料供給構造８の直前位置において、蓋カバー１３を有する開口部１４を形成していると共に、該開口部１４に近接する後方上方位置に、肥料袋Ｆを載置することができる肥料袋載置部１５を構成している。尚、肥料袋載置部１５の後方には、操作パネル部３ａに嵌挿させる切欠形状の接続部１６を形成している。これによりペースト肥料の補給作業を行うとき乗用田植機１は、蓋カバー１３を前方に開動し開口部１４を開放すると、肥料供給構造８を露出させた肥料供給作業姿勢にすることができる。また肥料袋載置部１５には、肥料袋Ｆを安定的に載置することができ、肥料袋Ｆの肥料排出口を肥料供給構造８の肥料受入口８ａに簡単に臨ませることができる。
【００１２】
肥料供給構造８は図３に示すように、開口部１４の内側直下において前部機体フレーム２ａ側に設けられる取付軸１９を支点に、開口部１４を閉じた点線で示す閉じ姿勢から前方に開動させて開口部１４を開放する開き姿勢に切換自在とする蓋カバー１３と、該蓋カバー１３の開放姿勢に伴いペースト肥料を受入れて左右の肥料タンク９に供給案内をする供給容器２０とからなる。図示する供給容器２０は、開口部１４の後方に配置される前壁２１と後壁２２と左右の側壁２３とからなり、肥料受入口を平面視で方形状をなすように形成し、且つ側面視で下方に向けて集束する漏斗形状をなすように形成して、両側壁２３の漏斗状下部側に、肥料タンク９の前部上方に設けられる肥料供給口２５と接続する供給パイプ２６を設けている。
【００１３】
上記供給容器２０は、可撓性を有する合成樹脂材又はゴム材によって、前壁２１,後壁２２, 左右の側壁２３,供給パイプ２６とを一体的に形成することにより、水密構造にしている。この供給容器２０は前壁２１の上辺を蓋カバー１３の裏側上部に取付け、後壁２２の上辺を上面カバー部１１の開口上部の裏側に取付けている。また可撓性を有する左右の側壁２３は、例えば前後の中間位置に折り曲げ部等の格納手段を付設している。これにより供給容器２０は、蓋カバー１３の開き姿勢から閉じ姿勢に切換える動作に伴い、左右の側壁２３の中途が容器内方側に折り込まれて、蓋カバー１３の閉じ姿勢では、点線で示すように前壁２１と後壁２２とを重ねた状態の格納姿勢にすると共に、開き姿勢では左右の側壁２３を伸長させた肥料供給作業姿勢にすることができる。
【００１４】
一方、開口部１４の後方上方でボンネット３に形成される肥料袋載置部１５は、前方に向け下り傾斜状をなす上面カバー部１１の中途部に、ボンネット３の成形時に没入（凹入）加工手段を付加することにより廉価な構成によって製作している。即ち、肥料袋載置部１５は、肥料袋Ｆを安定的に載置する長さと幅を有して水平状をなす袋載面２７と、該袋載面２７の後端から起立させて上面カバー部１１の後部に連なる後縦面２８と、左右でリブ状をなす側縦面２９とを一体的に成形している。また上記ボンネット３の製作時に袋載面２７には、横向きの突起部２７ａを前後方向に複数突出形成することにより、該複数の突起部２７ａによって載置した肥料袋Ｆのずり落ちを防止すると共に、肥料袋載置部１５の補強用リブ部材としている。
【００１５】
またボンネット３に肥料袋載置部１５を一体的に没入形成する際に、ボンネット３は袋載面２７の後部と後方の上面カバー部１１とを後縦面２８によって接続形成するので、袋載面２７は肥料袋Ｆの重量を強度有して支持すると共に、高さ及びボンネット幅を有する後縦面２８を利用し、その両側に前照灯取付け用の取付孔を形成し、ここに一対の前照灯３０を左右に取付けている。この前照灯設置構造によれば、前照灯３０を上下高さを有する広い後縦面２８に、上面カバー部１１から上方に突出させることなく簡単に取付けることができ、袋載面２７の後方に形成されるスペースの有効利用を図ることができる。また後縦面２８に取付けられる前照灯３０は、オペレータの視界を邪魔することなく機体前部で高い位置に設置され、且つ没入部を介して広い範囲を照らすことができる等の特徴がある。
【００１６】
以上のように肥料供給構造８を備える乗用田植機１は、肥料袋載置部１５を前側に向けて下り傾斜面をなすボンネット３の上面カバー部１１に、袋載面２７を略水平状に没入形成していることにより、肥料補給時に、肥料袋Ｆを排出口を前側にして袋載面２７に載置すると共に、蓋カバー１３を前方に向けて開動し供給容器２０を肥料供給作業姿勢にして、肥料袋Ｆの排出口を開けてペースト肥料を供給容器２０内に供給する。これによりペースト肥料は供給容器２０内に溜まりながら供給パイプ２６を通り肥料供給口２５から肥料タンク９内に補給される。そして、肥料タンク９内への肥料供給を終えたのちは、肥料袋Ｆを袋載面２７から取り除くと共に、蓋カバー１３を閉じることにより一連の肥料供給作業を完了する。
【００１７】
このような肥料供給作業において、肥料袋載置部１５は袋載面２７をボンネット３の上面カバー部１１に水平状に没入形成しているため、袋載面２７は載置される肥料袋Ｆを従来のもののように特別な肥料袋支持手段を必要とすることなく、肥料供給構造８に接近させた低い位置で水平状の安定姿勢を有して支持される。また肥料袋Ｆの排出口を供給容器２０に可及的に近接させて臨ませることもできるため、排出口を手で保持したり特別な支持具を用いることなく、供給容器２０外への肥料こぼれを防止しながら確実に供給することができる。従って、乗用田植機１に対して圃場内で肥料補給を行なう場合でも、肥料供給作業を能率よくスムーズに行うことができる。
【００１８】
そして、上記肥料袋載置部１５を形成するボンネット３は、袋載面２７の後端に形成される後縦面２８に前照灯３０を配置していることにより、没入部の形状を利用して前照灯３０を上面カバー部１１から上方に突出させることなく高位置に配置されるので、前照灯３０の光を没入部を通して前下方及び遠方を広く照らすことができると共に、当該前照灯３０がオペレータの視界の邪魔にならないためスムーズな運転を行うことができる。また肥料袋載置部１５の後縦面２８に設置される前照灯３０は、ボンネット３の下方側に設置されるものに比較して、飛散する泥土の付着や異物との接当を回避することができる等の特徴もある。
【符号の説明】
【００１９】
１  乗用田植機
３  ボンネット
８  肥料供給構造
９  肥料タンク
１１  上面カバー部
２７  袋載面
２８  後縦面
３０  前照灯
Ｆ  肥料袋
【図１】
2013236551.tif 000003
【図２】
2013236551.tif 000004
【図３】
2013236551.tif 000005